(57)【要約】      （修正有）【課題】卓上化粧鏡の使用者が、好きな時に、鏡を見たままで卓上化粧鏡のＬＥＤ照明を指で操作してＯＮ又はＯＦＦにすることができる卓上化粧鏡を提供する。【解決手段】台ＳＴと支持部ＳＰと鏡本体Ｂと軸受ＡＸからなる卓上化粧鏡において、鏡面ＭＦの周りの鏡本体にリング状ＬＥＤ照明を設け、鏡本体にタッチスイッチＴＳとスイッチ操作制御部を内蔵してなる。タッチスイッチとスイッチ操作制御部とリング状ＬＥＤ照明が電気的に接続され、タッチスイッチに指で触れると、スイッチ操作制御部が、リング状ＬＥＤ照明をＯＮ又はＯＦＦにする。【選択図】図１
0003211992.tif 000002
【実用新案登録請求の範囲】
【請求項１】
台ＳＴと支持部ＳＰと鏡本体Ｂと軸受ＡＸからなる卓上化粧鏡１００において、鏡面ＭＦの周りの鏡本体Ｂにリング状ＬＥＤ照明ＬＥＤを設けてなり、鏡面ＭＦの鏡本体ＢにタッチスイッチＴＳを内蔵してなると共に、鏡本体Ｂにスイッチ操作制御部ＳＣを内蔵してなり、タッチスイッチＴＳとスイッチ操作制御部ＳＣとリング状ＬＥＤ照明ＬＥＤが電気的に接続されてなり、スイッチ操作制御部ＳＣが、タッチスイッチＴＳに指で触れると、リング状ＬＥＤ照明ＬＥＤをＯＮ又はＯＦＦにする制御部であることを特徴とする卓上化粧鏡１００。
【請求項２】
上記スイッチ操作制御部ＳＣが、リング状ＬＥＤ照明ＬＥＤがＯＦＦの状態においてタッチスイッチに指で触れると、リング状ＬＥＤ照明ＬＥＤの照明をＯＮにし、リング状ＬＥＤ照明ＬＥＤの照明がＯＮの状態においてタッチスイッチに指で触れると、リング状ＬＥＤ照明ＬＥＤをＯＦＦにする制御部であることを特徴とする請求項１に記載された卓上化粧鏡１００。
【請求項３】
上記スイッチ操作制御部ＳＣが、タッチスイッチＴＳを指で長押しすれば、リング状ＬＥＤ照明ＬＥＤの色を変更する制御部であることを特徴とする請求項１〜２の何れかに記載された卓上化粧鏡１００。
【請求項４】
（１）式を充足するように、タッチスイッチＴＳを指で押せば、上記スイッチ操作制御部ＳＣが、リング状ＬＥＤ照明ＬＥＤの色を変更する制御部であることを特徴とする卓上化粧鏡１００。
ｔ≧ｔ０……（１）式
ここに、ｔ：タッチスイッチを指で押し始めてから押し続ける時間（秒）  
ｔ０：予め設定された長押し時間（秒）
を特徴とする請求項１〜３の何れかに記載された卓上化粧鏡１００。
【請求項５】
鏡本体Ｂの鏡面ＭＦが、凹面鏡及び／又は平面鏡の面であることを特徴とする請求項１〜４の何れかに記載された卓上化粧鏡１００。
【請求項６】
タッチスイッチＴＳが、静電容量スイッチであることを特徴とする請求項１〜５の何れかに記載された卓上化粧鏡１００。
【考案の詳細な説明】
【技術分野】
【０００１】
本考案は、卓上化粧鏡に関する。
より詳しくは、台と支持部と鏡本体と軸受からなる卓上化粧鏡において、鏡面ＭＦの周りの鏡本体Ｂにリング状ＬＥＤ照明ＬＥＤを設けてなり、鏡面ＭＦの鏡本体ＢにタッチスイッチＴＳを内蔵してなる卓上化粧鏡に関する。
【背景技術】
【０００２】
少なくとも鏡の左右及び上部に照明器具を配置して各照明器具から被写体に光をあて写像を得る照明器具付き鏡が従来技術として存在していた。
しかしながら、卓上化粧鏡において、使い勝手の関係で種々の従来技術の欠点を有していた。
【０００３】
しかるに、発明者は、かかる従来技術の欠点に鑑み鋭意研究した結果、本願発明を完成させた。
本願考案に係る卓上化粧鏡１００について、ＦＩ、キーワード検索を行ったところ、本件考案（請求項１〜６の何れかに記載の考案）の進歩性を否定する考案等記載文献は、発見されませんでしたが、以下、本件考案に近い献特許文献の記載をする。
【先行技術文献】
【特許文献】
【０００４】
【特許文献１】特開２００４−２９０５３１号公報
【考案の概要】
【考案が解決しようとする課題】
【０００５】
○本考案が解決しようとする第１課題
本考案が解決しようとする第１課題は、
卓上化粧鏡の使用者が、好きな時に、鏡を見たままで卓上化粧鏡のＬＥＤ照明を指で操作してＯＮ又はＯＦＦにすることができる卓上化粧鏡を提供することである。
○本考案が解決しようとする第２課題
本考案が解決しようとする第２課題は、
化粧鏡の使用者が、化粧をするに際して、ＬＥＤ照明を影が生じることなく、顔前面に当てることができる卓上化粧鏡を提供することである。
○本考案が解決しようとする第３課題
本考案が解決しようとする第３課題は、
卓上化粧鏡の使用者の好みに合わせて、ＬＥＤ照明のＯＮ又はＯＦＦ用のスイッチにより、ＬＥＤ照明の色を変更することができる卓上化粧鏡を提供することである。
○本考案が解決しようとする第４課題
本考案が解決しようとする第４課題は、
卓上化粧鏡の使用者が、化粧をするに際して、化粧する部位（例えば、目元の細部）により顔の映像を拡大したり、あるいは、化粧全体の仕上がりのチェックをすることができる卓上化粧鏡を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○鏡本体Ｂとは、光の反射を利用して形・姿を映して見る道具の本体部分をいい、鏡本体Ｂとは、鏡面ＭＦ、ＬＥＤ照明ＬＥ、筐体をいい、鏡本体Ｂの中央部の表面の両面及び／又は片面が鏡面ＭＦを備えてなり、鏡本体Ｂの鏡面ＭＦの周辺部にリング状ＬＥＤ照明ＬＥＤを設けてなる。
○鏡面ＭＦの周りの鏡本体Ｂとは、鏡本体Ｂの中央部は円形状の鏡面ＭＦを構成してなり、その円形の周り部分（リング状領域）の鏡本体Ｂをいう。
○鏡面ＭＦの鏡本体Ｂとは、鏡本体Ｂの中央部は円形状の鏡面ＭＦを構成してなり、その円形内の鏡本体Ｂをいう。
○台ＳＴとは、鏡本体Ｂと軸受ＡＸを据えるものである。
○軸受ＡＸとは、鏡本体Ｂを水平軸周りに回転させるための雄又は雌の支持部材をいう。
○鏡面ＭＦとは、平板又は凹面のガラス板の裏面を銀めっきした鏡面である、これは、銀という金属は可視光線の反射率（電気伝導率および熱伝導率に由来する）が金属中で最大のためである。ガラスを使う鏡の他に、ポリエステルなどのフィルムの表面に金属を蒸着し、可搬性や安全性を高めたものもある。
○卓上化粧鏡１００とは、台ＳＴと支持部ＳＰと鏡本体Ｂと軸受ＡＸとからなり、さらに、鏡本体鏡面ＭＦの周りの鏡本体Ｂにリング状ＬＥＤ照明ＬＥＤを内蔵してなり、鏡面ＭＦ内の鏡本体ＢにタッチスイッチＴＳを内蔵してなると共に、鏡本体Ｂにスイッチ操作制御部ＳＣを内蔵してなり、タッチスイッチＴＳとスイッチ操作制御部ＳＣとリング状ＬＥＤ照明ＬＥＤが電気的に接続されてなり、スイッチ操作制御部ＳＣが、タッチスイッチＴＳに指で触れると、リング状ＬＥＤ照明ＬＥＤをＯＮ又はＯＦＦにする制御部であることを特徴とする卓上化粧鏡１００をいう。
○ＬＥＤ照明ＬＥＤとは、発光ダイオード（ＬＥＤ）を使用した照明器具のことをいう。
２０１６年現在、照明器具の主力光源となっている。ＬＥＤを使用しているため、低消費電力で長寿命といった特徴を持つ。定格範囲内で使用する限り発光素子自身は比較的長寿命であり、熱による劣化が寿命の決定要因となる。
本考案に係る、ＬＥＤ照明ＬＥＤは、複数個のＬＥＤ発光素子を搭載し、それらを電気的に接続した複合構造の照明器具である。
○スイッチ操作制御部ＳＣとは、タッチスイッチＴＳとリング状ＬＥＤ照明ＬＥＤが電気的に接続されてなり、リング状ＬＥＤ照明ＬＥＤがＯＮ状態か又はＯＦＦの状態かを判定するＬＥＤ照明状態判定部１１と、タッチスイッチＴＳに指で触れるとタッチスイッチＴＳがＯＦＦからＯＮになったことを検知するスイッチＯＮ検知部１２と、タッチスイッチＴＳから指が離れるとタッチスイッチＴＳがＯＮからＯＦＦになったことを検知するスイッチＯＦＦ検知部１３と、タッチスイッチＴＳを指で長押しすれば、タッチスイッチＴＳが長押しされたことを検知するとスイッチ長押しＯＮ検知部１４と、かつ、上記検知部１２〜１４からの検知情報に基づいて、リング状ＬＥＤ照明ＬＥＤをＯＮ又はＯＦＦにし、及び、リング状ＬＥＤ照明ＬＥＤの色を変更する演算制御部１５と蓄電池とから構成される。
ここに、タッチスイッチＴＳを指で長押しするとは、
（１）式を充足するように、タッチスイッチＴＳを指で押すことをいう。
ｔ≧ｔ０……（１）式
ここに、ｔ：タッチスイッチを指で押し始めてから押し続ける時間（秒）  
ｔ０：予め設定された長押し時間（秒）
スイッチ操作制御部ＳＣは、ＬＥＤ照明状態判定部１１、スイッチＯＮ検知部１２、スイッチＯＦＦ検知部１３、スイッチ長押しＯＮ検知部１４、演算制御部１５、蓄電池の構成要素から構成されてなり（図１１）、
上記構成要素は、電気的に接続されてなる（図１１の線（矢印線を含む）により表示されてなる。）。
スイッチ操作制御部ＳＣの構成要素と、タッチスイッチＴＳとリング状ＬＥＤ照明ＬＥＤとは、（図１１の線（矢印線を含む）により表示されているように、電気的に接続されてなる。
ここに、電気的に接続されてなるとは、信号線で接続されてなると共に電力線でも接続されてなることをいい、例えば、スイッチ操作制御部ＳＣに設置されている蓄電池により、スイッチ操作制御部ＳＣの各構成要素のみならず、ＬＥＤ照明ＬＥＤへ、及び、タッチスイッチＴＳへ電力を供給することができる。
○タッチスイッチＴＳとは、本考案に係る、タッチスイッチＴＳは、鏡面ＭＦのタッチボタンの裏側の鏡本体Ｂに内蔵される静電容量スイッチに限定される。
タッチボタンとは、タッチスイッチＴＳに近接する部分の鏡面ＭＦをいい、例えば、鏡面ＭＦにリング状表示を表示した場合、リング状表示の内側円部の鏡面ＭＦをいう。  タッチスイッチＴＳは、発光面の前部に設置されて、発光面からの光を透過することが必須の要件であるタッチパネルとは全く異なる。
○タッチスイッチＴＳに指で触れるとは、本願明細書においては、タッチスイッチＴＳ（静電容量スイッチＴＳ）に近接する鏡面ＭＦ（当該鏡面ＭＦの下の鏡本体ＢにタッチスイッチＴＳが内蔵されている。）を指で触れることをいう。
タッチスイッチＴＳに指で直接触れることはないが、タッチスイッチＴＳに近接する鏡面ＭＦを指で触れることにより、検知部（スイッチＯＦＦ検知部１３、スイッチ長押しＯＮ検知部１４、演算制御部１５）が、タッチスイッチＴＳに指で直接触れた判断する。
図１３において、リング状表示の内側円部分をＴＳで表示しているが、ＴＳはリング状表示の内側円部分の鏡面の下に内蔵されているタッチスイッチＴＳを表示している。リング状表示の内側円部分の鏡面ＭＦは、タッチボタンを表している。  
○静電容量スイッチＴＳ
静電容量スイッチＴＳは、スイッチに設けた金属製の検出パネルと人の指によって構成されるコンデンサの静電容量変化を検出する原理のスイッチをいう。検出した結果は電圧の変化として出力するものが多く、機械的な断続接点を持つものは少ない。
狭義には人間が操作し指が触れることを検出するスイッチを指すが、感度を高めることによって人体のみならず他の物体の接近を検出することができ、広義にはそれら静電容量式近接スイッチを含む場合がある。タッチスイッチなどとも呼ばれる。
本考案における静電容量スイッチは、後者の静電容量式近接スイッチをいうものとする。
静電容量変化を検出するために電子回路を内蔵し電源を必要とする。そのため他の電子回路に組み込むことが容易で、この用途では機械的な断続接点を持たない。一般にはエレベーターの操作用が馴染み深い。感度が悪くなるが検出金属板を露出させず合成樹脂（本考案では、鏡面、すなわちガラス面）などで化粧したものもある。
コンピュータ用キーボードの高級機種や業務用機種には、打鍵時の静穏性と耐久性を求めて機械接点式に替えて静電容量スイッチをキースイッチに採用するものがある。この場合は指を検出する機構ではなく、キースイッチ内部の打鍵ストローク変化を静電容量変化として検出する（ウィキペディアフリー百科事典から抜粋）。
＜本考案に係る、スイッチ操作制御部ＳＣが、ＬＥＤ照明ＬＥＤを制御するためのフローチャート＞
本考案に係る、スイッチ操作制御部ＳＣが、ＬＥＤ照明ＬＥＤを制御するためのフローチャートを、図７を参照しながら以下説明する。
○Ｓ１：ステップ１
ＬＥＤがＯＦＦ状態か？を、ＬＥＤ照明状態判定部１１が判定する。
ＬＥＤがＯＮ状態の場合（ＮＯ）、Ｓ６：ステップ６に進む。
ＬＥＤがＯＦＦの場合（ＹＥＳ）、Ｓ２：ステップ２に進む。
○Ｓ２：ステップ２
タッチスイッチＴＳがＯＦＦからＯＮになったか？を、スイッチＯＮ検知部１２が検知する。
タッチスイッチＴＳがＯＦＦからＯＮにならなかった場合（ＮＯ）、そのまま待機する。
タッチスイッチＴＳがＯＦＦからＯＮになった場合（ＹＥＳ）、Ｓ３：ステップ３に進む。
○Ｓ３：ステップ３
演算制御部１５が、ＬＥＤをＯＮにし、Ｓ４：ステップ４、Ｓ６：ステップ６に進む。
○Ｓ４：ステップ４
タッチスイッチＴＳが長押しされたか？を、スイッチ長押しＯＮ検知部１４が検知する。
タッチスイッチＴＳが長押しされなかった場合（ＮＯ）、そのまま待機する。
タッチスイッチＴＳが長押しされた場合（ＹＥＳ）、Ｓ５：ステップ５に進む。
○Ｓ５：ステップ５
演算制御部１５が、ＬＥＤの色を変更し、Ｓ６：ステップ６に進む。
○Ｓ６：ステップ６
タッチスイッチＴＳがＯＮからＯＦＦになったか？を、スイッチＯＦＦ検知部１３が検知する。
タッチスイッチＴＳがＯＮからＯＦＦにならなかった場合（ＮＯ）、そのまま待機する。
タッチスイッチＴＳがＯＮからＯＦＦになった場合（ＹＥＳ）、Ｓ６：ステップ６に進む。
○Ｓ７：ステップ７
ＬＥＤをＯＦＦにし、Ｓ１：ステップ１に進む。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
台ＳＴと支持部ＳＰと鏡本体Ｂと軸受ＡＸからなる卓上化粧鏡１００において、鏡面ＭＦの周りの鏡本体Ｂにリング状ＬＥＤ照明ＬＥＤを設けてなり、鏡面ＭＦの鏡本体ＢにタッチスイッチＴＳを内蔵してなると共に、鏡本体Ｂにスイッチ操作制御部ＳＣを内蔵してなり、タッチスイッチＴＳとスイッチ操作制御部ＳＣとリング状ＬＥＤ照明ＬＥＤが電気的に接続されてなり、スイッチ操作制御部ＳＣが、タッチスイッチＴＳに指で触れると、リング状ＬＥＤ照明ＬＥＤをＯＮ又はＯＦＦにする制御部であることを特徴とする卓上化粧鏡１００である。
○第２の考案（請求項２に記載の考案）
上記の課題を解決するための第２の考案（請求項２に記載の考案）は、
上記スイッチ操作制御部ＳＣが、リング状ＬＥＤ照明ＬＥＤがＯＦＦの状態においてタッチスイッチに指で触れると、リング状ＬＥＤ照明ＬＥＤの照明をＯＮにし、リング状ＬＥＤ照明ＬＥＤの照明がＯＮの状態においてタッチスイッチに指で触れると、リング状ＬＥＤ照明ＬＥＤをＯＦＦにする制御部であることを特徴とする請求項１に記載された卓上化粧鏡１００である。
○第３の考案（請求項３に記載の考案）
上記の課題を解決するための第３の考案（請求項３に記載の考案）は、
上記スイッチ操作制御部ＳＣが、タッチスイッチＴＳを指で長押しすれば、リング状ＬＥＤ照明ＬＥＤの色を変更する制御部であることを特徴とする請求項１〜２の何れかに記載された卓上化粧鏡１００である。
○第４の考案（請求項４に記載の考案）
上記の課題を解決するための第４の考案（請求項４に記載の考案）は、
（１）式を充足するように、タッチスイッチＴＳを指で押せば、上記スイッチ操作制御部ＳＣが、リング状ＬＥＤ照明ＬＥＤの色を変更する制御部であることを特徴とする請求項１〜３の何れかに記載された卓上化粧鏡１００である。
ｔ≧ｔ０……（１）式
ここに、ｔ：タッチスイッチを指で押し始めてから押し続ける時間（秒）  
ｔ０：予め設定された長押し時間（秒）
○第５の考案（請求項５に記載の考案）
上記の課題を解決するための第５の考案（請求項５に記載の考案）は、
鏡本体Ｂの鏡面ＭＦが、凹面鏡及び／又は平面鏡の面であることを特徴とする請求項１〜４の何れかに記載された卓上化粧鏡１００である。
○第６の考案（請求項６に記載の考案）
上記の課題を解決するための第６の考案（請求項６に記載の考案）は、
タッチスイッチＴＳが、静電容量スイッチであることを特徴とする請求項１〜５の何れかに記載された卓上化粧鏡１００である。
【考案の効果】
【０００７】
本考案に係る、卓上化粧鏡１００は、上記のような特徴的構成要件から構成され、特徴的構成要件に応じた、以下のような本願考案特有の効果を奏する。
また、上記の各考案に応じた、上記のような特徴的構成要件から構成された卓上化粧鏡１００によれば、本願考案の課題を十分解消することができた。
○第１の考案の効果
第１の考案によれば、
台ＳＴと支持部ＳＰと鏡本体Ｂと軸受ＡＸからなる卓上化粧鏡１００において、鏡面ＭＦの周りの鏡本体Ｂにリング状ＬＥＤ照明ＬＥＤを設けてなり、鏡面ＭＦの鏡本体ＢにタッチスイッチＴＳを内蔵してなると共に、鏡本体Ｂにスイッチ操作制御部ＳＣを内蔵してなり、タッチスイッチＴＳとスイッチ操作制御部ＳＣとリング状ＬＥＤ照明ＬＥＤが電気的に接続されてなり、スイッチ操作制御部ＳＣが、タッチスイッチＴＳに指で触れると、リング状ＬＥＤ照明ＬＥＤをＯＮ又はＯＦＦにする制御部であることという特徴的な構成要件により、本考案が解決しようとする第１課題〜第４課題を達成することができ、当業者予測不可能な顕著な効果を奏することができた。
○第２の考案の効果
第２の考案によれば、
上記スイッチ操作制御部ＳＣが、リング状ＬＥＤ照明ＬＥＤがＯＦＦの状態においてタッチスイッチに指で触れると、リング状ＬＥＤ照明ＬＥＤの照明をＯＮにし、リング状ＬＥＤ照明ＬＥＤの照明がＯＮの状態においてタッチスイッチに指で触れると、リング状ＬＥＤ照明ＬＥＤをＯＦＦにする制御部であることという特徴的な構成要件により、本考案が解決しようとする第１課題〜第４課題を達成することができ、当業者予測不可能な顕著な効果を奏することができた。
○第３の考案の効果
第３の考案によれば、
上記スイッチ操作制御部ＳＣが、タッチスイッチＴＳを指で長押しすれば、リング状ＬＥＤ照明ＬＥＤの色を変更する制御部であることという特徴的な構成要件により、本考案が解決しようとする第１課題〜第４課題を達成することができ、当業者予測不可能な顕著な効果を奏することができた。
○第４の考案の効果
第４の考案によれば、
（１）式を充足するように、タッチスイッチＴＳを指で押せば、上記スイッチ操作制御部ＳＣが、リング状ＬＥＤ照明ＬＥＤの色を変更する制御部であることを特徴とする卓上化粧鏡１００。
ｔ≧ｔ０……（１）式
ここに、ｔ：タッチスイッチを指で押し始めてから押し続ける時間（秒）  
ｔ０：予め設定された長押し時間（秒）
という特徴的な構成要件により、本考案が解決しようとする第１課題〜第４課題を達成することができ、当業者予測不可能な顕著な効果を奏することができた。
○第５の考案の効果
第５の考案によれば、
鏡本体Ｂの鏡面ＭＦが、凹面鏡及び／又は平面鏡の面であることという特徴的な構成要件により、本考案が解決しようとする第１課題〜第４課題を達成することができ、当業者予測不可能な顕著な効果を奏することができた。
○第６の考案の効果
第６の考案によれば、
タッチスイッチＴＳが、静電容量スイッチであることという特徴的な構成要件により、本考案が解決しようとする第１課題〜第４課題を達成することができ、当業者予測不可能な顕著な効果を奏することができた。
【考案を実施するための最良の形態】
【０００８】
以下、本考案に係る、卓上化粧鏡１００に関する最良の実施形態について、図面を参照しながら説明する。
［図１］図１は、本考案に係る、卓上化粧鏡１００の斜視図である。
［図２］図２は、本考案に係る、卓上化粧鏡１００の正面図である。
［図３］図３は、本考案に係る、卓上化粧鏡１００の背面図である。
［図４］図４は、本考案に係る、卓上化粧鏡１００の平面図である。
［図５］図５は、本考案に係る、卓上化粧鏡１００の底面図である。
［図６］図６は、本考案に係る、卓上化粧鏡１００の右側面図である。
［図７］図７は、本考案に係る、卓上化粧鏡１００の左側面図である。
［図８］図８は、本考案に係る、卓上化粧鏡１００の使用状態（その１）を示す図である。
［図９］図９は、本考案に係る、卓上化粧鏡１００の使用状態（その２）を示す図である。
［図１０］図１０は、本考案に係る、卓上化粧鏡１００の使用状態（その３）を示す図である。
［図１１］図１１は、本考案に係る、リング状ＬＥＤ照明ＬＥＤとタッチスイッチＴＳとスイッチ操作制御部ＳＣのシステムブロック図である。
［図１２］図１２は、本考案に係る、スイッチ操作制御部ＳＣが、ＬＥＤ照明ＬＥＤを制御するためのフローチャートである。
［図１３］図１３は、鏡面ＭＦの鏡本体ＢにタッチスイッチＴＳを内蔵した状態を示す図である。図１３（Ａ）は、鏡面ＭＦの鏡本体ＢにタッチスイッチＴＳを内蔵した状態を示す正面図であり、図１３（Ｂ）は、鏡面ＭＦの鏡本体ＢにタッチスイッチＴＳを内蔵した状態を示す右側面断面図であり、図１３（Ｃ）は、鏡面ＭＦの鏡本体ＢにタッチスイッチＴＳを内蔵した状態を示す背面図である。
以下、本考案に係る、卓上化粧鏡１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の卓上化粧鏡１００において、
台ＳＴと支持部ＳＰと鏡本体Ｂと軸受ＡＸからなる卓上化粧鏡１００において、鏡面ＭＦの周りの鏡本体Ｂにリング状ＬＥＤ照明ＬＥＤを設けてなり、鏡面ＭＦの鏡本体ＢにタッチスイッチＴＳを内蔵してなると共に、鏡本体Ｂにスイッチ操作制御部ＳＣを内蔵してなり、タッチスイッチＴＳとスイッチ操作制御部ＳＣとリング状ＬＥＤ照明ＬＥＤが電気的に接続されてなり、スイッチ操作制御部ＳＣが、タッチスイッチＴＳに指で触れると、リング状ＬＥＤ照明ＬＥＤをＯＮ又はＯＦＦにする制御部であることを特徴とする卓上化粧鏡１００が開示されている。
○第１の考案の効果
第１の考案によれば、
台ＳＴと支持部ＳＰと鏡本体Ｂと軸受ＡＸからなる卓上化粧鏡１００において、鏡面ＭＦの周りの鏡本体Ｂにリング状ＬＥＤ照明ＬＥＤを設けてなり、鏡面ＭＦの鏡本体ＢにタッチスイッチＴＳを内蔵してなると共に、鏡本体Ｂにスイッチ操作制御部ＳＣを内蔵してなり、タッチスイッチＴＳとスイッチ操作制御部ＳＣとリング状ＬＥＤ照明ＬＥＤが電気的に接続されてなり、スイッチ操作制御部ＳＣが、タッチスイッチＴＳに指で触れると、リング状ＬＥＤ照明ＬＥＤをＯＮ又はＯＦＦにする制御部であることという特徴的な構成要件により、本考案が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の卓上化粧鏡１００において、
上記スイッチ操作制御部ＳＣが、リング状ＬＥＤ照明ＬＥＤがＯＦＦの状態においてタッチスイッチに指で触れると、リング状ＬＥＤ照明ＬＥＤの照明をＯＮにし、リング状ＬＥＤ照明ＬＥＤの照明がＯＮの状態においてタッチスイッチに指で触れると、リング状ＬＥＤ照明ＬＥＤをＯＦＦにする制御部であることを特徴とする請求項１に記載された卓上化粧鏡１００が開示されている。
○第２の考案の効果
第２の考案によれば、
上記スイッチ操作制御部ＳＣが、リング状ＬＥＤ照明ＬＥＤがＯＦＦの状態においてタッチスイッチに指で触れると、リング状ＬＥＤ照明ＬＥＤの照明をＯＮにし、リング状ＬＥＤ照明ＬＥＤの照明がＯＮの状態においてタッチスイッチに指で触れると、リング状ＬＥＤ照明ＬＥＤをＯＦＦにする制御部であることという特徴的な構成要件により、本考案が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の卓上化粧鏡１００において、
上記スイッチ操作制御部ＳＣが、タッチスイッチＴＳを指で長押しすれば、リング状ＬＥＤ照明ＬＥＤの色を変更する制御部であることを特徴とする請求項１〜２の何れかに記載された卓上化粧鏡１００が開示されている。
○第３の考案の効果
第３の考案によれば、
上記スイッチ操作制御部ＳＣが、タッチスイッチＴＳを指で長押しすれば、リング状ＬＥＤ照明ＬＥＤの色を変更する制御部であることという特徴的な構成要件により、本考案が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の卓上化粧鏡１００において、
（１）式を充足するように、タッチスイッチＴＳを指で押せば、上記スイッチ操作制御部ＳＣが、リング状ＬＥＤ照明ＬＥＤの色を変更する制御部であることを特徴とする卓上化粧鏡１００。
ｔ≧ｔ０……（１）式
ここに、ｔ：タッチスイッチを指で押し始めてから押し続ける時間（秒）  
ｔ０：予め設定された長押し時間（秒）
を特徴とする請求項１〜３の何れかに記載された卓上化粧鏡１００が開示されている。
○第４の考案の効果
第４の考案によれば、
（１）式を充足するように、タッチスイッチＴＳを指で押せば、上記スイッチ操作制御部ＳＣが、リング状ＬＥＤ照明ＬＥＤの色を変更する制御部であることを特徴とする卓上化粧鏡１００。
ｔ≧ｔ０……（１）式
ここに、ｔ：タッチスイッチを指で押し始めてから押し続ける時間（秒）  
ｔ０：予め設定された長押し時間（秒）
という特徴的な構成要件により、本考案が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の卓上化粧鏡１００において、
鏡本体Ｂの鏡面ＭＦが、凹面鏡及び／又は平面鏡の面であることを特徴とする請求項１〜４の何れかに記載された卓上化粧鏡１００が開示されている。
○第５の考案の効果
第５の考案によれば、
鏡本体Ｂの鏡面ＭＦが、凹面鏡及び／又は平面鏡の面であることという特徴的な構成要件により、本考案が解決しようとする第１課題〜第４課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の卓上化粧鏡１００において、
タッチスイッチＴＳが、静電容量スイッチであることを特徴とする請求項１〜５の何れかに記載された卓上化粧鏡１００が開示されている。
○第６の考案の効果
第６の考案によれば、
タッチスイッチＴＳが、静電容量スイッチであることという特徴的な構成要件により、本考案が解決しようとする第１課題〜第４課題を達成することができ、当業者予測不可能な顕著な効果を奏することができた。
【図面の簡単な説明】
【０００９】
【図１】図１は、本考案に係る、卓上化粧鏡１００の斜視図である。
【図２】図２は、本考案に係る、卓上化粧鏡１００の正面図である。
【図３】図３は、本考案に係る、卓上化粧鏡１００の背面図である。
【図４】図４は、本考案に係る、卓上化粧鏡１００の平面図である。
【図５】図５は、本考案に係る、卓上化粧鏡１００の底面図である。
【図６】図６は、本考案に係る、卓上化粧鏡１００の右側面図である。
【図７】図７は、本考案に係る、卓上化粧鏡１００の左側面図である。
【図８】図８は、本考案に係る、卓上化粧鏡１００の使用状態（その１）を示す図である。
【図９】図９は、本考案に係る、卓上化粧鏡１００の使用状態（その２）を示す図である。
【図１０】図１０は、本考案に係る、卓上化粧鏡１００の使用状態（その３）を示す図である。
【図１１】図１１は、本考案に係る、リング状ＬＥＤ照明ＬＥＤとタッチスイッチＴＳとスイッチ操作制御部ＳＣのシステムブロック図である。
【図１２】図１２は、本考案に係る、スイッチ操作制御部ＳＣが、ＬＥＤ照明ＬＥＤを制御するためのフローチャートである。  なお、図１〜図３に記載されているリング状ＬＥＤ照明は、ＯＦＦ（消灯）状態であるが、図８〜図９に記載されているリング状ＬＥＤ照明は、ＯＮＮ（点灯）状態である。
【図１３】図１３は、鏡面ＭＦの鏡本体ＢにタッチスイッチＴＳを内蔵した状態を示す図である。図１３（Ａ）は、鏡面ＭＦの鏡本体ＢにタッチスイッチＴＳを内蔵した状態を示す正面図であり、図１３（Ｂ）は、鏡面ＭＦの鏡本体ＢにタッチスイッチＴＳを内蔵した状態を示す右側面断面図であり、図１３（Ｃ）は、鏡面ＭＦの鏡本体ＢにタッチスイッチＴＳを内蔵した状態を示す背面図である。
【００１０】
ＳＴ……台
ＳＰ……支持部
Ｂ……鏡本体
ＡＸ……軸受
１００……卓上化粧鏡
ＭＦ……鏡面
ＬＥＤ……ＬＥＤ照明、リング状ＬＥＤ照明
ＴＳ……タッチスイッチ、静電容量スイッチ
ＳＣ……スイッチ操作制御部
１１……ＬＥＤ照明状態判定部
１２……スイッチＯＮ検知部
１３……スイッチＯＦＦ検知部
１４……スイッチ長押しＯＮ検知部
１５……演算制御部
【図１】
0003211992.tif 000003
【図２】
0003211992.tif 000004
【図３】
0003211992.tif 000005
【図４】
0003211992.tif 000006
【図５】
0003211992.tif 000007
【図６】
0003211992.tif 000008
【図７】
0003211992.tif 000009
【図８】
0003211992.tif 000010
【図９】
0003211992.tif 000011
【図１０】
0003211992.tif 000012
【図１１】
0003211992.tif 000013
【図１２】
0003211992.tif 000014
【図１３】
0003211992.tif 000015
【手続補正書】
【提出日】平成29年6月14日(2017.6.14)
【手続補正１】
【補正対象書類名】実用新案登録請求の範囲
【補正対象項目名】全文
【補正方法】変更
【補正の内容】
【実用新案登録請求の範囲】
【請求項１】
台ＳＴと支持部ＳＰと鏡本体Ｂと軸受ＡＸからなる卓上化粧鏡１００において、鏡面ＭＦの周りの鏡本体Ｂにリング状ＬＥＤ照明ＬＥＤを設けてなり、鏡面ＭＦの鏡本体ＢにタッチスイッチＴＳを内蔵してなると共に、鏡本体Ｂにスイッチ操作制御部ＳＣを内蔵してなり、タッチスイッチＴＳとスイッチ操作制御部ＳＣとリング状ＬＥＤ照明ＬＥＤが電気的に接続されてなり、スイッチ操作制御部ＳＣが、タッチスイッチＴＳに指で触れると、リング状ＬＥＤ照明ＬＥＤをＯＮ又はＯＦＦにする制御部であることを特徴とする卓上化粧鏡１００。
【請求項２】
上記スイッチ操作制御部ＳＣが、リング状ＬＥＤ照明ＬＥＤがＯＦＦの状態においてタッチスイッチに指で触れると、リング状ＬＥＤ照明ＬＥＤの照明をＯＮにし、リング状ＬＥＤ照明ＬＥＤの照明がＯＮの状態においてタッチスイッチに指で触れると、リング状ＬＥＤ照明ＬＥＤをＯＦＦにする制御部であることを特徴とする請求項１に記載された卓上化粧鏡１００。
【請求項３】
上記スイッチ操作制御部ＳＣが、タッチスイッチＴＳを指で長押しすれば、リング状ＬＥＤ照明ＬＥＤの色を変更する制御部であることを特徴とする請求項１〜２の何れかに記載された卓上化粧鏡１００。
【請求項４】
（１）式を充足するように、タッチスイッチＴＳを指で押せば、上記スイッチ操作制御部ＳＣが、リング状ＬＥＤ照明ＬＥＤの色を変更する制御部であることを特徴とする請求項１〜３の何れかに記載された卓上化粧鏡１００。
ｔ≧ｔ０……（１）式
ここに、ｔ：タッチスイッチを指で押し始めてから押し続ける時間（秒）  
ｔ０：予め設定された長押し時間（秒）
【請求項５】
鏡本体Ｂの鏡面ＭＦが、凹面鏡及び／又は平面鏡の面であることを特徴とする請求項１〜４の何れかに記載された卓上化粧鏡１００。
【請求項６】
タッチスイッチＴＳが、静電容量スイッチであることを特徴とする請求項１〜５の何れかに記載された卓上化粧鏡１００。